(57)【要約】【課題】ＬＥＤランプの発光部と床などの照射面との間にある程度距離があっても十分な明るさが得られるようにしたり、また部屋全体を明るく照らしたりすることが可能なＬＥＤランプ構造体を提供する。【解決手段】複数のＬＥＤ素子を配置する基板と、前記ＬＥＤ素子の発光部に密着して備えられる透明レンズとを有するＬＥＤランプ構造体を提供する。特に、このようなＬＥＤランプ構造体であって、従来の直管蛍光灯具のソケットに取り付け可能な電極を有し、前記基板は両端電極間に配置されたＬＥＤランプ構造体を提供する。【選択図】図１
2012104445.tif 000002
【特許請求の範囲】
【請求項１】
複数のＬＥＤ素子を配置する基板と、
前記ＬＥＤ素子の発光部に密着して備えられる透明レンズと、
を有するＬＥＤランプ構造体。
【請求項２】
従来の直管蛍光灯具のソケットに取り付け可能な電極を有し、
前記基板は両端電極間に配置された請求項１に記載のＬＥＤランプ構造体。
【請求項３】
前記透明レンズは複眼レンズである請求項１又は２に記載のＬＥＤランプ構造体。
【請求項４】
前記透明レンズは、透明ゲル状材料からなる請求項１から３のいずれか一に記載のＬＥＤランプ構造体。
【請求項５】
前記透明ゲル状材料からなる透明レンズの表面は透明プラスティック材料から構成されている請求項４に記載のＬＥＤランプ構造体。
【発明の詳細な説明】
【技術分野】
【０００１】
本発明は、ＬＥＤランプ構造体に関する。
【背景技術】
【０００２】
近年、従来の白熱電球や蛍光灯に代わる照明としてＬＥＤ（Ｌｉｇｈｔ  Ｅｍｉｔｔｉｎｇ  Ｄｉｏｄｅ）ランプが普及しつつある。ＬＥＤランプは、白熱電球や蛍光灯に比べて省エネ性に優れ、長寿命であり、白色系に限られず様々な色を発光させることができるという長所がある。
【０００３】
また、従来の照明からＬＥＤ照明に変えたときに部屋の雰囲気が変わらないようにするとか、取換え工事を簡易に行えるようにするといった目的のため、既設の白熱電球や蛍光灯と同様の形状を有し、既設の灯具をそのまま利用して簡単にＬＥＤランプに取り換えることができるようにしたものも知られている。例えば特許文献１には、一端に口金が設けられ他端の開口部に向けてラッパ状に拡がるラッパ状部材と、このラッパ状部材の開口部に取付けられ内面に蛍光体の層を有する透光性カバーと、前記ラッパ状部材と前記透光性カバーにより形成された略球体の内部に設けられた基板と、この基板の前記透光性カバーに対向する外面に実装されたＬＥＤ素子とを備える電球型ＬＥＤランプが開示されている（特許文献１参照）。また、特許文献２には、蛍光管のワット数に応じた規定の長さに設定され、蛍光管を取外してそのまま既設の蛍光灯器具に簡単に取り付けることができる蛍光灯型ＬＥＤ照明装置が開示されている（特許文献２参照）。
【先行技術文献】
【特許文献】
【０００４】
【特許文献１】特開２００１‐２４３８０７号公報
【特許文献２】特開２００１‐３５１４０２号公報
【発明の概要】
【発明が解決しようとする課題】
【０００５】
一方、ＬＥＤランプは指向性を有するため、一般に直下の床面など特定の方向をある程度明るく照らすことはできるが、発光部と床面などの照射面との間にある程度距離がある場合には十分な明るさが得られないといった問題がある。このような場合でも十分な明るさを得るためにより多数のＬＥＤ素子を備えることも考えられるが、この場合にはせっかくのＬＥＤランプの省エネ性という長所を阻害してしまうという問題が生じる。また、かかるＬＥＤランプの指向性に起因して部屋全体を十分に明るく照らすことができないといった問題もある。
【０００６】
そこで、本発明の解決すべき課題は、ＬＥＤランプの発光部と床などの照射面との間にある程度距離があっても十分な明るさが得られるようにしたり、また部屋全体を明るく照らしたりすることが可能なＬＥＤランプ構造体を提供することにある。
【課題を解決するための手段】
【０００７】
以上の課題を解決するため、第一の発明は、複数のＬＥＤ素子を配置する基板と、前記ＬＥＤ素子の発光部に密着して備えられる透明レンズとを有するＬＥＤランプ構造体を提供する。
【０００８】
また、第二の発明は、第一の発明を基礎として、従来の直管蛍光灯具のソケットに取り付け可能な電極を有し、前記基板は両端電極間に配置されたＬＥＤランプ構造体を提供する。
【０００９】
また、第三の発明は、第一又は第二の発明を基礎として、前記透明レンズは複眼レンズであるＬＥＤランプ構造体を提供する。
【００１０】
また、第四の発明は、第一から第三のいずれか一の発明を基礎として、前記透明レンズは、透明ゲル状材料からなるＬＥＤランプ構造体を提供する。
【００１１】
また、第五の発明は、第四の発明を基礎として、前記透明ゲル状材料からなる透明レンズの表面は透明プラスティック材料から構成されているＬＥＤランプ構造体を提供する。
【発明の効果】
【００１２】
本発明により、ＬＥＤランプの発光部と床などの照射面との間にある程度距離があっても十分な明るさが得られるようにしたり、また部屋全体を明るく照らしたりすることが可能なＬＥＤランプ構造体を提供することが可能となる。
【図面の簡単な説明】
【００１３】
【図１】実施例１のＬＥＤランプ構造体の構成の一例を示す図
【図２】実施例１のＬＥＤランプ構造体におけるＬＥＤ素子の配置の一例を示す平面図
【図３】実施例２のＬＥＤランプ構造体の構成の一例を示す図
【図４】実施例２のＬＥＤランプ構造体における透明レンズの配置の一例を示す図
【図５】実施例２のＬＥＤランプ構造体における透明レンズの配置の一例を示す図
【図６】実施例２のＬＥＤランプ構造体における透明レンズの配置の一例を示す図
【図７】複眼レンズである透明レンズの一例を示す図
【図８】複眼レンズである透明レンズの一例を示す図
【図９】非特許文献１に掲載されているＬ型口金（端子）を備えるＬＥＤランプ構造体の形状の一例を示す図
【符号の説明】
【００１４】
０１００      ＬＥＤランプ構造体
０１１０      ＬＥＤ素子
０１１１      発光部
０１２０      基板
０１３０      透明レンズ
【発明を実施するための形態】
【００１５】
以下に、本発明の実施例を説明する。実施例と請求項の相互の関係は以下のとおりである。実施例１は主に請求項１、４、５などに関し、実施例２は主に請求項２などに関し、実施例３は主に請求項３などに関する。なお、本発明はこれら実施例に何ら限定されるものではなく、その要旨を逸脱しない範囲において、種々なる態様で実施しうる。
【実施例１】
【００１６】
<概要>
【００１７】
本実施例のＬＥＤランプ構造体は、複数のＬＥＤ素子を配置する基板と、前記ＬＥＤ素子の発光部に密着して備えられる透明レンズとを有するＬＥＤランプ構造体であり、ＬＥＤ素子の発光部に透明レンズを被せることで発光部からの光が明るく輝くようにした点に特徴を有する。
【００１８】
<構成>
【００１９】
（全般）
【００２０】
図１は、本実施例のＬＥＤランプ構造体の構成の一例を示す図である。本図に示すＬＥＤランプ構造体０１００は、複数のＬＥＤ素子０１１０（煩雑を避けるため符号は一部についてのみ示す。他図においても同様である。）を配置する基板０１２０と、ＬＥＤ素子の発光部０１１１（同じく符号は一部についてのみ示す。他図においても同様である。）に密着して備えられる透明レンズ０１３０を有する。なお、本図においては発光部からの光の照射方向が上になるように描かれている（従って、かかるＬＥＤランプ構造体を天井に下向けに設ける場合は上方向が床面方向となる）ところ、本明細書においては、以下特に断りのない限りすべて上方向を照射方向として説明する。
【００２１】
図１に示したＬＥＤランプ構造体は、複数のＬＥＤ素子が直列に配置された例であるが、ＬＥＤ素子の配置のしかたはこれに限られず様々な配置が可能である。
【００２２】
図２は、本実施例のＬＥＤランプ構造体におけるＬＥＤ素子の配置の一例を示す平面図である。（ａ）は、複数のＬＥＤ素子を直列に配置したものであり、かかる配置を有するＬＥＤランプ構造体としては、図１と同様の形状のものや、後述する従来型の直管型蛍光灯に代替可能な直管蛍光灯型のＬＥＤランプ構造体が考えられる。本図ではＬＥＤ素子はほぼ一直線に配置されているが、ジグザグに配置されていてもよい。また、本図ではＬＥＤ素子は一列のみ配置されているが、複数列配置されていてもよい。（ｂ）は、複数のＬＥＤ素子を環形の基板上に配置したものであり、かかる配置を有するＬＥＤランプ構造体としては、例えば従来型の環形蛍光灯と同様の形状のＬＥＤランプ構造体が考えられる。ほぼ同心円周上に配置されていなくてもよい点、二重以上の円周上に配置されていてもよい点は（ａ）の場合と同様である。（ｃ）は、複数のＬＥＤ素子を略円形の基板上に配置したものであり、かかる配置を有するＬＥＤランプ構造体としては、例えば電球型のＬＥＤランプ構造体が考えられる。
【００２３】
なお、本図の例では、ＬＥＤ素子の光照射方向はすべて同じ方向であるが、ＬＥＤ素子の照射方向は互いに異なっていてもよい。例えば、（ａ）に示したような直列型のＬＥＤランプ構造体においてＬＥＤ素子の列を三列とし、両端の二列はそれぞれ外側に向かって斜め上方向を照射する向きに配置されるようにしたものなどであってもよい。
【００２４】
（基板）
【００２５】
「基板」はその上に複数のＬＥＤ素子が配置するためのセラミックス製などの板状部材である。ＬＥＤ素子の個数は複数であればいくつであってもよい。図１、図２の例では説明の簡単のために５〜８個程度の例で示したが、実際にはより多くのＬＥＤ素子が配置されたものが想定される。
【００２６】
（透明レンズ：全般）
【００２７】
「透明レンズ」は、光学的に光の向きを所望の方向に向けることを目的とした透明の部材である。例えば凸レンズの場合であれば、発光部からの光を集束させて、透明レンズ通過後における単位面積当たり照射光束量（照度）を、透明レンズを備えない場合に比べて増加させることが可能となる。凹レンズの場合であれば、発光部からの光を発散させてより広い範囲に光が行き渡るようにすることが可能となる。従って、天井に下向けに設けられたＬＥＤランプの光で床面などを明るく照らす場合のように特定の方向における照度を増すことを目的とする場合は、透明レンズは凸レンズであることが望ましい。一方、部屋全体を明るく照らすことを目的とする場合は凹レンズとすることが望ましい。あるいは用途によっては凸レンズと凹レンズとを部分的に融合したような複合型のレンズであってもよい。
【００２８】
また、透明レンズの形状や厚みを変化させることで透明レンズの焦点距離を調節することなどが可能となり、光の集束や拡散の程度を変化させることができる。即ち、透明レンズの形状や厚みは達成しようとする光の集束や拡散の程度に応じて適切に設計される事項である。
【００２９】
「透明」には、無色透明、有色透明のどちらも含まれる。有色とは、例えば赤、青、緑、黄緑、黄色、だいだいなどである。また色も複合していてもよい。例えばレンズの半分は赤色、もう半分は緑色などである。さらにレンズの材料中の全部又は一部に蛍光材料や蓄光性材料を混ぜてもよい。これにより多様な色を実現できたり、通電終了後でも光を放ち続けたりするなどが可能となる。
【００３０】
透明レンズの材質としては、比較的硬いガラスや、ポリメチルメタクリレート、ジアリルカーボネイト、ポリカーボネイトなどの硬質の透明樹脂などが挙げられる。このほか、柔軟性がある透明ゲル状材料を利用したレンズであってもよい。透明ゲル状材料を利用したレンズについては改めて後述する。また硬質材料と軟質材料とが部分的に複合した部品を用いてもよい。
【００３１】
透明レンズを複数のＬＥＤ素子上に配置する際には、図１、図２に示した例のように複数のＬＥＤ素子の全部を一個のレンズでまとめて覆うようにしてもよいし、一部の複数個のＬＥＤ素子を一個のレンズで覆うようにしてもよい。あるいは、個々のＬＥＤ素子を別々の透明レンズが覆う形でＬＥＤ素子と同数の透明レンズが備えられるようにしてもよい。
【００３２】
（透明レンズ：透明ゲル状材料を利用したレンズ）
【００３３】
透明レンズは透明ゲル状材料を利用したレンズであってもよい。透明ゲル状材料としては、シリコン樹脂や、シリコン樹脂を基本としてこれに副次的な材料を混ぜたものが挙げられる。またアクリルゲルなどであってもよい。
【００３４】
さらに、透明ゲル状材料からなる透明レンズの表面は透明プラスティック材料から構成されていてもよい。特に、透明ゲル材料からなる透明レンズが外部にむき出しになっている場合には、レンズ表面が柔らかく粘着性があるため、傷がついたりほこりが付着したりするおそれがあることから、これを防止するためにこのように構成されることが望ましい。具体的には、例えばレンズ表面をシリコン系塗料によってコーティングすることが考えられる。
【００３５】
（透明レンズ：発光部に密着させるための構成）
【００３６】
本実施例の透明レンズはＬＥＤ素子の発光部に密着して備えられる点に特徴がある。透明レンズを発光部に密着させる目的は、ＬＥＤ素子の発光部から発せられる光が他の物質（空気）を介することなくレンズに入射するようにすることで、光の伝達効率の低下を防ぐことにある。ここで「密着」とは、透明レンズを発光部に対して隙間が生じないように付着させることをいう。ただし、隙間が生じないとは言っても、透明レンズと発光部の間に不可避的に空間が生じることまで排除するものではなく、上記の密着の目的の達成を阻害しない範囲であれば、不可避的な若干の空間が生じるものも本実施例にいう「密着」に含まれる。なお、「ＬＥＤ素子の発光部」は、ＬＥＤ素子において陽極と陰極に電圧を印加することで発光する部分をいう。
【００３７】
透明レンズをＬＥＤ素子の発光部に密着させるための構成としては、以下のような方法によるものが考えられる。透明レンズが比較的硬いガラスや硬質のプラスティックの場合は、例えば、予めＬＥＤ素子の形状にぴったり合うように成形された透明レンズを被せるようにすればよい。あるいは、概ねＬＥＤ素子の形状に合わせて成形された透明レンズを被せるとともに、透明レンズとＬＥＤ素子の中間にゲル状の材料を用いた平板状の部材（以下「ゲル中間材」という。）を挟み込んでぴったり圧着させることで、ＬＥＤ基板の発光部と透明レンズとの間に生じる隙間をなくすようにしてもよい。この場合にゲル中間材のＬＥＤ素子との当接部分は平面的なものであってもよいがＬＥＤチップの高差分程度凹となっていてもよい。このようにすることでさらにＬＥＤチップの発光部分とゲル中間材との密着度を向上させることができるとともに、透明レンズとの当接面にまでＬＥＤチップの凹凸が反映することがなく、ゲル中間材の透明レンズ側の表面を平面にできるというメリットがある。
【００３８】
なお、かかるゲル中間材を挟み込むことの副次的な目的として、ＬＥＤ素子や基板などで発生する熱を所望の方向に排熱するコントロールを可能にするということも挙げられる。さらに、ゲル中間材の厚みを調節することで、発光部から発せされた光が透明レンズを通過後に集束する位置を変更して、実質的に透明レンズの焦点距離を調節することなども可能となる。
【００３９】
透明レンズが柔軟性を有する透明ゲル状材料の場合は、例えば、発光部に透明もしくは半透明の硬質プラスティック製のキャップ（カバー）を伏せるようにして被せ、その中に透明ゲル状材料を隙間なく充填することでレンズを形成するようにすればよい。あるいは、レンズの形に形成した透明ゲル状材料の表面に透明な硬質プラスティック製の膜をコーティングするようにしてもよい。
【００４０】
なお、透明レンズは複眼レンズであってもよい。かかる例については、別の実施例にて後述する。
【００４１】
（電極を有する例）
【００４２】
本実施例のＬＥＤランプ構造体は、電源からの電力を灯具のソケットから受けてＬＥＤ素子に給電するための電極を備えていてもよい。この電極は、従来の直管蛍光灯と互換性を持たせるために従来の直管蛍光灯具のソケットに取り付け可能なものであってもよいし、かかる互換性を有しないものであってもよい。前者については次実施例にて詳述する。後者の従来の直管蛍光灯と互換性を有しないものの例としては、社団法人日本電球工業会が２０１０年１０月に制定した規格である「Ｌ型口金付き直管形ＬＥＤランプシステム（ＪＥＬ８０１）」に基づく口金が挙げられる（非特許文献１「家電Ｗａｔｃｈ  ２０１０年１０月１９日付記事『日本電球工業会、直管形ＬＥＤランプの規格を制定』（ＵＲＬ：ｈｔｔｐ：／／ｋａｄｅｎ．ｗａｔｃｈ．ｉｍｐｒｅｓｓ．ｃｏ．ｊｐ／ｄｏｃｓ／ｎｅｗｓ／２０１０１０１９＿４０１０１８．ｈｔｍｌ）参照」。
【００４３】
図９は、非特許文献１に掲載されているＬ型口金（端子）を備えるＬＥＤランプ構造体の形状の一例を示す。本例のＬＥＤランプ構造体０９００が備える端子は給電側の端子とアース側の端子で異なる形状を有している。（ａ）に示す給電側の端子０９０４１は略Ｌ字形の一対の板状部材からなる。（ｂ）は、（ａ）の概ね破線円０９０２の位置を矢印Ｂ方向に見た図であり、本図に現れるアース側の端子０９４２は、一本の棒状部材の先端に略楕円柱状の部材を取り付けた形状を有する。
【００４４】
（その他）
【００４５】
透明レンズは、全体がガラス管などのカバーの内部に収納されていてもよいし、外部にむき出しになっていてもよい。前者の典型は、次実施例で述べるような、ＬＥＤランプ構造体が従来の直管蛍光灯と同一の形状を有し、管体の中にＬＥＤ素子を配置した基板および透明レンズが収納されたものである。この場合において透明レンズが透明ゲル状材料のときは、基板上の管体内の約半分を占める空間に透明ゲル状材料が充填されたものが典型である。なお、従来の直管蛍光灯と同一の形状を有するＬＥＤランプ構造体については次実施例で詳述する。
【００４６】
<効果>
【００４７】
本実施例の発明により、ＬＥＤランプの発光部と床などの照射面との間にある程度距離があっても十分な明るさが得られるようにしたり、また部屋全体を明るく照らしたりすることが可能なＬＥＤランプ構造体を提供することが可能となる。
【実施例２】
【００４８】
<概要>
【００４９】
本実施例のＬＥＤランプ構造体は、基本的に実施例１のＬＥＤランプ構造体と共通するが、従来の直管蛍光灯具のソケットに取り付け可能な電極を有し、前記基板が両端電極間に配置されたことを特徴とする。これは、実施例１のＬＥＤランプ構造体の特徴である照射面との間にある程度距離があっても十分な明るさが得られるとか、部屋全体を明るく照らすことができるといった点を生かしつつ、さらに従来の直管型蛍光灯との互換性を持たせることで、取換え工事を簡易に行えるようにし、また構成を工夫することにより従来の直管蛍光灯からＬＥＤ照明に変えたときの違和感をなくすことを目的とするものである。
【００５０】
<構成>
【００５１】
図３は、本実施例のＬＥＤランプ構造体の構成の一例を示す図である。本実施例のＬＥＤランプ構造体の構成は基本的に実施例１のＬＥＤランプ構造体の構成と共通する。従って、本図に示すＬＥＤランプ構造体０３００も、複数のＬＥＤ素子０３１０を配置する基板０３２０と、ＬＥＤ素子の発光部０３１１に密着して備えられる透明レンズ０３３０を有する。さらに、本図に示すＬＥＤランプ構造体は、両端に従来の直管蛍光灯具のソケット（図示されない）に取り付け可能な電極０３４０を有し、前記基板が両端電極間に配置される。以下、電極の構成、および本実施例のＬＥＤランプ構造体における透明レンズの配置例について説明する。その余の構成は実施例１と同様であるので説明を省略する。
【００５２】
（電極）
【００５３】
本実施例のＬＥＤランプ構造体が有する「電極」は、電源からの電力を従来の直管蛍光灯具のソケットから受けてＬＥＤ素子に給電するためのものであり、このため従来の直管蛍光灯具のソケットに取り付け可能に構成されている。即ち、本実施例の電極は従来の直管蛍光灯の口金に備えられるピンに相当するものであり、これと同一の形状、寸法を有する。「従来の直管蛍光灯」とは、ＪＩＳＣ７６１７−２「直管蛍光ランプ−第２部：性能規定」の２．３．１「データシートのリスト」に規定された直管蛍光ランプを指す。また、当該規格において、当該ランプの口金はＪＩＳＣ７７０９−１「電球類の口金・受金及びそれらのゲージ並びに互換性・安全性  第１部  口金」に規定された規格に適合すべき旨が定められている。例えば、管径１６ｍｍの直管蛍光灯にはＧ−５口金（ピン間隔約５ｍｍ）が、管径２５ｍｍ、２８ｍｍ、３２．５ｍｍ、３８ｍｍの直管蛍光灯にはＧ−１３口金（ピン間隔約１３ｍｍ）が用いられるところ、本実施例のＬＥＤランプ構造体の電極はこれらの口金に備えられるピンと同一の形状・寸法を有する。
【００５４】
また、本実施例のＬＥＤランプ構造体の電極が従来の直管蛍光灯具のソケットに取り付け可能であることから、必然的に本実施例のＬＥＤランプ構造体の寸法も従来の直管蛍光灯具に取り付け可能な寸法に規制される。一例を挙げれば、Ｇ−１３口金に対応するソケットに取り付け可能ないわゆる４０Ｗ形直管蛍光灯（管径３２．５ｍｍ）の管長は１，１９８ｍｍであり、いわゆる１１０Ｗ形直管蛍光灯（管径３８ｍｍ）の管長は２，３６７ｍｍであるので、本実施例のＬＥＤランプ構造体の寸法もこれらの寸法と同じ寸法となる。
【００５５】
（本実施例のＬＥＤランプ構造体における透明レンズの配置例）
【００５６】
本実施例のＬＥＤランプ構造体においては、基板が両端電極間に配置される。そこで、当該基板上に配置される複数のＬＥＤ素子は、当該両端電極間に直列的に配置される。このため、仮にこれら複数のＬＥＤ素子の発光部に密着して備えられる透明レンズを一個の透明レンズとする場合には、当該レンズは例えば蒲鉾形状をした細長いレンズとなる。
【００５７】
図４は、本実施例のＬＥＤランプ構造体における透明レンズの配置の一例を示す図であり、図３のＡ−Ａ線垂直断面図である。即ち、本例の配置は、図３に示したものと同一であり、斜線で示した部分が透明レンズ０４３０である。本図の例のＬＥＤランプ構造体は、従来の直管蛍光灯の管体（蛍光管本体）の上側の略半分に相当する部分（天井に下向きに取り付けた場合は床面側の略半分に相当する部分）がないため、見た目の印象が従来の直管蛍光灯とは相当異なったものとなり得る。
【００５８】
一方、本実施例のＬＥＤランプ構造体は、従来の直管蛍光灯と同じ形状・寸法の管体を有するものであってもよい。このように構成することで、従来の照明からＬＥＤ照明に変えたときに部屋の雰囲気が変わらないようにすることができる。
【００５９】
図５は、本実施例のＬＥＤランプ構造体における透明レンズの配置の別の一例を図４と同様の垂直断面図で示したものである。本例のＬＥＤランプ構造体０５００は直管蛍光灯と同じ形状・寸法の管体０５０１を有し、管体内に基板０５２０、複数のＬＥＤ素子０５１０（発光部０５１１を有する）および透明レンズ０５３０が備えられている。この場合、ＬＥＤ素子の発光部から発せられた光が管体内で減衰することがないようにするため、本図の例のように管体０５０１内の基板より上側の空間に透明レンズ（好適には透明ゲル状材料からなるレンズ）が隙間なく充填されていることが望ましい。
【００６０】
図６も、本実施例のＬＥＤランプ構造体における透明レンズの配置のさらに別の一例を図４と同様の垂直断面図で示したものである。本図の例は、図４と同様従来の直管蛍光灯の管体の上側の略半分に相当する部分を欠くものであるが、図４の例と異なり、透明レンズが当該管体とほぼ同一の形状を有するものである。この場合の透明レンズには硬質のガラスやプラスティックを用いればよい。さらに、従来の直管蛍光灯との違和感をなくすためにレンズ表面を半透明の素材でコーティングしてもよい。あるいは、透明レンズに透明ゲル状材料からなるレンズを用いるとともに、レンズ表面を透明または半透明の素材でコーティングしてもよい。
【００６１】
<効果>
【００６２】
本実施例の発明により、実施例１のＬＥＤランプ構造体の特徴を生かしつつ、さらに従来の直管型蛍光灯との互換性を持たせることで、取換え工事を簡易に行えるようにすることができる。また構成を工夫することにより従来の直管蛍光灯からＬＥＤ照明に変えたときの違和感をなくすことが可能となる。
【実施例３】
【００６３】
<概要>
【００６４】
本実施例のＬＥＤランプ構造体は、基本的に実施例１または２のＬＥＤランプ構造体と共通するが、透明レンズが複眼レンズであることを特徴とする。これは、レンズ素子の数を増やすことで光の集束・拡散をより多様な態様で実現することを可能にすることを目的とする。また、複眼レンズを用いることでレンズの厚みや体積を減らして材料費の節減や軽量化を図ることも可能となる。
【００６５】
<構成>
【００６６】
本実施例のＬＥＤランプ構造体の構成は基本的に実施例１または２のＬＥＤランプ構造体の構成と共通する。即ち、本例のＬＥＤランプ構造体も、複数のＬＥＤ素子を配置する基板と、ＬＥＤ素子の発光部に密着して備えられる透明レンズを有する。ただし、本実施例の透明レンズは複眼レンズである。以下、複眼レンズの構成について説明する。その余の構成は実施例１または２と同様であるので説明を省略する。
【００６７】
（複眼レンズ）
【００６８】
本実施例における「複眼レンズ」には、複数のレンズ素子を有するレンズが広く含まれる。
【００６９】
図７は、複眼レンズである透明レンズの一例を示す図である。本図に示す複眼レンズはいわゆるフライアイレンズの例であって、本例では同一の半球形を有する複数のレンズ素子を縦横に配列したものである。なお、レンズ素子の形状はこの例のほかに略四角柱、略六角柱などの多角柱形状などであってもよく、また、透明レンズがフレネルレンズであってもよい。また、すべてのレンズ素子の形状が同一である必要はなく、異なる形状が混在したものであってもよい。
【００７０】
図８は、複眼レンズである透明レンズの別の一例を示す図である。本図に示す複眼レンズは蒲鉾型のレンズを複数列並べたものである。本実施例における複眼レンズは上述のように複数のレンズ素子を有するレンズが広く含まれるから、このようなものも含まれる。
【００７１】
本実施例のＬＥＤランプ構造体によれば、このようにレンズ素子の数を増やすことで光の集束・拡散をより多様な態様で実現することができる。このため、例えば実施例２のＬＥＤランプ構造体（従来の直管蛍光灯具のソケットに取り付け可能な電極を有するもの）に本実施例の複眼レンズを適用した場合には、透明レンズに半透明のコーティングをしないままであっても個々のＬＥＤ素子の形状が明確には見えづらくなることから、従来の直管蛍光灯からＬＥＤ照明に変えたときの違和感を減らすことが可能となる。また、特に複眼レンズをフレネルレンズにした場合をはじめとして、レンズの厚みや体積を減らして材料費の節減や軽量化を図ることも可能となる。
【００７２】
<効果>
【００７３】
本実施例の発明により、レンズ素子の数を増やすことで光の集束・拡散をより多様な態様で実現することを可能にすることが可能となる。また、複眼レンズを用いることでレンズの厚みや体積を減らして材料費の節減や軽量化を図ることも可能となる。
【図１】
2012104445.tif 000003
【図２】
2012104445.tif 000004
【図３】
2012104445.tif 000005
【図４】
2012104445.tif 000006
【図５】
2012104445.tif 000007
【図６】
2012104445.tif 000008
【図７】
2012104445.tif 000009
【図８】
2012104445.tif 000010
【図９】
2012104445.tif 000011